(57)【要約】      （修正有）【課題】不要になった遺品を遺族の心情を損なうことなくスムースに処分できるようにする供養品収納袋を提供する。【解決手段】合成樹脂シートを袋状にした収納部３０及びチャック３１ａを有した開口部３１からなり収納物を収納しチャック３１ａを閉じて内部空気を排出することで収納部３０の体積を縮小しながら繊維系遺品を収納する脱気用中袋３と、布材を中空直方体状に縫製して内側に収納室２０を形成し側面上端側で周方向に設けたファスナー２０ａで上面が開閉可能とされて収納室２０に脱気用中袋３を収装するとともに所定位置に持ち手２０ｃ、２０ｄが設けられた運搬用外袋２Ａとを備えた供養品収納袋１Ａにおいて、運搬時又は／及び保管時に収納室２０の底面となる部分に底面の形状・サイズに略一致する底板７が配設されており、運搬時又は保管時に収納室２０の底面が変形して型崩れが生じるのを防止するものとした。【選択図】図１
0003223243.tif 000002
【実用新案登録請求の範囲】
【請求項１】
合成樹脂シートを袋状に形成した収納部及び開閉自在なチャックを有した開口部からなり前記収納部に収納物を収納して前記チャックを閉じた状態で所定の吸引手段で内部空気を外部に排出することにより前記収納部の体積を縮小しながら密閉可能として布団又は／及び衣類の繊維系遺品を収納するための脱気用中袋と、布材を中空直方体状に縫製して内側に直方体状の収納室を形成しており側面上端側で周方向に設けられたファスナーにより上面が開閉可能とされて前記収納室に前記脱気用中袋を収装するとともに運搬時に手で掴むための持ち手が所定位置に設けられてなる運搬用外袋とを備えており、遺品を供養及び処分する際の収納手段として用いられる供養品収納袋において、運搬時又は／及び保管時に前記収納室の底面となる部分に前記底面の形状・サイズに略一致する底板が配設されており、運搬時又は／及び保管時に前記収納室の底面が変形して型崩れが生じるのを防止する、ことを特徴とする供養品収納袋。
【請求項２】
前記収納室は、前記運搬用外袋内の繊維系遺品を収納した前記脱気用中袋の上方に所定サイズの空間が形成され、前記空間に布団・衣類以外の非繊維系遺品を収納することを特徴とする、請求項１に記載した供養品収納袋。
【請求項３】
前記底板は、保管時に底面となる部分とそれに直角な面で運搬時に底面となる面の２面に各々１枚配設されており、その１つの辺同士が開閉可能な状態で接続されている、ことを特徴とする請求項１又は２に記載した供養品収納袋。
【請求項４】
前記底板は段ボール材からなる、ことを特徴とする請求項１，２又は３に記載した供養品収納袋。
【請求項５】
前記運搬用外袋には、その上部側に非繊維系遺品を収納する空間と外部との間で非繊維系遺品を出し入れするためのファスナー開閉式の出し入れ口が設けられており、且つ、前記空間が前記脱気用中袋を収装する空間とは区画されている、ことを特徴とする請求項１，２，３又は４に記載した供養品収納袋。
【考案の詳細な説明】
【技術分野】
【０００１】
本考案は、供養品収納袋に関し、殊に、故人が使用していた布団や愛用の品を収納し、所定の場所で供養した後に処理施設に搬送するための供養品収納袋に関する。
【背景技術】
【０００２】
一般に、故人が亡くなる際に使用していた布団は、特有の臭いがあることに加え心情的にも使用に抵抗があることから、その後は使用されずに廃棄されることも多い。この場合、葬儀業者に葬式のゴミ類と一緒に布団の廃棄を依頼することも考えられるが、葬儀業者は廃棄物処理の免許を持っていないのが通常である。
【０００３】
また、故人が使用していた布団を一般のゴミと一緒に処分することについて、遺族は抵抗を感じやすいものである。さらに、故人が愛用していた布団以外の物品については、その総てが遺族にとって形見分けとして譲り受けたいものとは限らず、残ったものは処分されることになる。この場合も、故人の愛着が残る遺品をそのまま一般ゴミとして廃棄することは、遺族の心情として抵抗感が伴うことになる。
【０００４】
そこで、故人が使用していた布団や愛用の品（遺品）を、所定の場所に集めて僧侶等が供養を行い、その後、廃棄物用の処理施設に搬送して処分することが考えられる。例えば、実登３１１６１７７号公報には、運搬用袋と消臭用のポリ製中袋からなり、故人が使用していた布団をポリ製中袋に収納し消臭液で処理して開口部を塞ぎ、持ち手を備えた運搬用袋に入れて１箇所に集め、僧侶が供養した後に処理施設に搬送するものとして、保管・搬送用の収納手段として用いる布団袋が提案されている。
【０００５】
このように、ポリ製中袋に布団を入れて消臭処理を行ってから開口部を塞ぐことで、布団の臭いが流出することを回避できるとともに、運搬用袋に入れることで持ちやすく運搬作業を容易なものとし、さらに、僧侶による供養を施すことにより、その後に他のゴミと一緒に処理されても遺族の心情として抵抗感の少ないものとなる。
【０００６】
しかしながら、布団は一組でも大きく嵩張りやすいため、これを１箇所に集めて供養及び処分する場合には保管・搬送コストが嵩みやすく、遺族の負担が大きくなりやすい。また、前述したように、故人が愛用していた装身具などの布団・衣類以外の非繊維系の遺品を処分する場合は、これらを布団と一緒にポリ製中袋に入れてしまうと、角のあるものでは袋に穴を空けて防臭機能が損なわれるとともに、処分時に分別の手間が増してさらに処理コストが増すことになる。
【０００７】
また、大きく嵩張る布団や衣類を収納することで、その重量により供養品収納袋が全体として変形しやすいものとなるため、運搬時に型崩れして運搬作業が難しくなるとともに、それらを複数保管する場合に整然と積み重ねることが困難な状態となりやすい。
【先行技術文献】
【特許文献】
【０００８】
【特許文献１】実登３１１６１７７号公報
【考案の概要】
【考案が解決しようとする課題】
【０００９】
本考案は、上記のような問題を解決しようとするものであり、不要になった遺品を、遺族の心情を損なうことなくスムースに処分できるようにすることを課題とする。
【課題を解決するための手段】
【００１０】
そこで、本考案は、合成樹脂シートを袋状に形成した収納部及び開閉自在なチャックを有した開口部からなりその収納部に収納物を収納してチャックを閉じた状態で所定の吸引手段で内部空気を外部に排出することにより収納部の体積を縮小しながら密閉可能として布団又は／及び衣類の繊維系遺品を収納するための脱気用中袋と、布材を中空直方体状に縫製して内側に直方体状の収納室を形成しており側面上端側で周方向に設けられたファスナーにより上面が開閉可能とされてその収納室に脱気用中袋を収装するとともに運搬時に手で掴むための持ち手が所定位置に設けられてなる運搬用外袋とを備えており、遺品を供養及び処分する際の収納手段として用いられる供養品収納袋において、運搬時又は／及び保管時に収納室の底面となる部分にその底面の形状・サイズに略一致する底板が配設されており、運搬時又は／及び保管時に収納室の底面が変形して型崩れが生じるのを防止する、ことを特徴とするものとした。
【００１１】
このように、供養品収納袋を脱気用中袋と運搬用外袋の二重構造として、嵩張りやすく臭いの出やすい布団や衣類などの繊維系遺品を脱気用中袋に収納後脱気して密閉することにより、体積をコンパクトに縮小しながら臭いの流出を防止可能として搬送・保管に有用なものとなるが、脱気用中袋を収納する運搬用外袋の収納室底面に、それと同形状・同サイズの底板を配設したことで、運搬時及び保管時に脱気用中袋の重さで供養品収納袋が型崩れしにくいものとなる。
【００１２】
また、この供養品収納袋において、その収納室は、運搬用外袋内の繊維系遺品を収納した脱気用中袋の上方に所定サイズの空間が形成され、この空間に布団・衣類以外の非繊維系遺品を収納することを特徴としたものとすれば、布団や衣類を運搬用外袋に入れてその上方に形成された空間に非繊維系遺品を収納するものとしたことで、非繊維系遺品に角部があっても脱気用中袋を傷つけにくい状態としながら運搬・保管に適したものとなり、且つ、処分時における分別の手間を最小限に抑えることが可能となる。
【００１３】
さらに、上述した供養品収納袋において、その底板は保管時に底面となる部分とそれに直角な面で運搬時に底面となる面の２面に各々１枚配設されており、その１つの辺同士が開閉動作可能な状態で接続されている、ことを特徴としたものとすれば、保管時と運搬時に底面となる面が変わるような場合でも、型崩れを防止しやすくなることに加え、２枚の板材が接続されていることで、その部分が変形に強い構造となるため、極めて形状保持能に優れたものとなる。
【００１４】
さらにまた、上述した供養品収納袋において、その底板は段ボール材からなることを特徴としたものとすれば、軽量でも形状保持能に優れるとともに、燃焼処理を行いやすいものとなる。
【００１５】
加えて、上述した供養品収納袋において、その運搬用外袋には、その上部側に非繊維系遺品を収納する空間と外部との間で非繊維系遺品を出し入れするためのファスナー開閉式の出し入れ口が設けられており、且つ、その空間が脱気用中袋を収装する空間とは区画されていることを特徴としたものとすれば、非繊維系遺品を脱気用中袋に入れた状態で運搬用外袋に収装して上面を閉じた後でも、専用の出し入れ口を介して非繊維系遺品を出し入れ可能なものとなり、収納及び処分の際に一層に便利なものとなる。
【考案の効果】
【００１６】
脱気用中袋を収納する運搬用外袋の収納室底面に底板を配設した本考案によると、体積をコンパクトに縮小しながら臭いの流出を防止可能とすることに加え、運搬時及び保管時に型崩れしにくいものとなるため、不要となった遺品を遺族の心情を損なうことなくスムースに処分できるものである。
【図面の簡単な説明】
【００１７】
【図１】本考案における実施の形態である供養品収納袋の遺品を収納する前の状態を示す分解斜視図である。
【図２】図１の供養品収納袋に繊維系遺品を収納した状態を示す斜視図であって、脱気用中袋の上方に形成した空間に非繊維系維持を収納する場合を示している。
【図３】図２の供養品収納袋に繊維系遺品及び非繊維系遺品を収納した状態を示す縦断面図である。
【図４】図３の供養品収納袋の底面図である。
【図５】図１の供養品収納袋の変形例を示す斜視図である。
【図６】図１の供養品収納袋の応用例を示す分解斜視図である。
【図７】図６の供養品収納袋に遺品を収納した状態の斜視図であって、（Ａ）は保管時の状態、（Ｂ）は運搬時の状態である。
【図８】図１の供養品収納袋の底板の変形例を示す斜視図である。
【考案を実施するための形態】
【００１８】
以下に、図面を参照しながら本考案を実施するための形態を説明する。尚、本考案において、繊維系遺品とは、例えば布団や衣類など構成する素材の殆ど（９５重量％以上）が繊維からなる遺品を指し、非繊維系遺品とは、例えば靴やメガネなど前記繊維系遺品以外の遺品を指すものとする。また、布団には毛布も含まれるものとする。
【００１９】
図１は、本考案における実施の形態である、供養品収納袋１Ａの遺品を収納する前の状態を示す斜視図である。この供養品収納袋１Ａは、故人が使用していた布団・衣類である繊維系遺品及び故人が愛用していた靴・帽子・メガネ・書籍などの非繊維系遺品を収納・保管し、所定の場所に集めて僧侶等により供養を行ってから、所定の廃品処理施設に搬送する際の収納手段として用いるものである。
【００２０】
斯かる供養品収納袋１Ａは、布団又は／及び衣類の繊維系遺品を収納するための脱気用中袋３と、繊維系遺品を収納した脱気用中袋３を収装するとともに布団・衣類以外の非繊維系遺品を収納するための運搬用外袋２Ａと、運搬用外袋２Ａの収納室２０の底面となる部分に配設されその底面の形状・サイズに略一致する方形状の底板７とからなる。
【００２１】
脱気用中袋３は、合成樹脂シートを袋状に形成した収納部３０及び開閉自在な合成樹脂製のチャック３１ａを端縁に沿って有した開口部３１からなり、収納部３０に収納物である繊維系遺品を収納した状態で、脱気用通路となる図示しない閉止弁等を介して掃除機等の吸引手段で内部空気を外部に排出することにより、収納部３０の体積を収納物とともに縮小しながら密閉し、その縮小状態を所定期間維持することを特徴としており、一般に布団圧縮袋と言われるものと同様のものである。
【００２２】
そして、底板７は、収納室２０の底面となる部分に配設されることで、運搬時又は保管時に収納室２０の底面が変形して全体的に型崩れが生じるのを防止するためのものであり、段ボール材からなる方形状の板材の上面四隅に面状ファスナー６０ａが配設されており、これに対応する位置で脱気用中袋３の底面に配設された面状ファスナー６０ｂと各々係合することで、搬送中における脱気用中袋３の移動による偏りを防止して、一層高い保形力を発揮するようになっている。
【００２３】
一方、運搬用外袋２Ａは、布材を中空直方体状に形成してなるものであり、運搬時に手で掴むための把持手段である持ち手２０ｃ，２０ｃが対向する１対の側面に設けられ、その上面が側面上端側で周方向に設けられたファスナー２０ａにより開閉可能とされて開口部を塞ぐ蓋部２１を構成しており、その開口部を介し４つの側面と底面に囲まれた収納室２０内に脱気用中袋３を収装するようになっている。
【００２４】
また、図２に示すように、布団や衣類の繊維系遺品を収納した脱気用中袋３の上方に所定サイズの空間を形成するようになっており、この部分に布団又・衣類以外の遺品であってその構成素材の殆どが繊維からなるものではない非繊維系遺品としての靴５０ａ、帽子５０ｂ、メガネ５０ｃなどを収納して、前記繊維系遺品とは分離した状態で保管可能とした点も、本考案における特徴部分となっている。
【００２５】
即ち、上記特許文献１に記載された従来例の布団袋では、故人が使用していた布団の他に故人愛用の非繊維系遺品を一緒にポリ製中袋に収納した場合に、非繊維系遺品に角部があると、ポリ製中袋を破って防臭機能が損なわれたり処分時に繊維系遺品と分ける分別の手間を要したりする難点があった。
【００２６】
これに対し、本考案においては、運搬用外袋２Ａに収装した脱気用中袋３の上方に所定サイズの空間を形成するものとし、この部分に非繊維系遺品を入れてファスナー２０ａを閉じるようにしたことにより、非繊維系遺品に角部があっても脱気用中袋３を傷つけにくくなることに加え、繊維系遺品とは分離して収納されることにより、処分時における分別の手間を最小限に抑えられるものとした。
【００２７】
尚、図２の斜視図及び図３の縦断面図に示すように、脱気用中袋３に収納する布団３００ａや衣類３００ｂなどの繊維系遺品は、脱気用中袋３の上面が脱気状態において運搬用外袋２Ａの上面よりも下になる収納量に制限するものとして、脱気用中袋３の上方に非繊維系遺品を納めるための空間が確保されるようにする必要がある。
【００２８】
そして、故人の愛用した靴５０ａ、帽子５０ｂ、メガネ５０ｃなどの非繊維系遺品は、タオルやポリ袋などの包装手段４１で包んだ状態として、図２に示したように繊維系遺品を脱気状態で収納した脱気用中袋３の上面に置き、ファスナー２０ａで蓋部２１を閉めることで図３のような状態になる。このように、繊維系遺品と非繊維系遺品を分離した状態で収納しながら、全体としてコンパクトな状態に収まるため、保管・搬送コストを低廉に抑えやすいものとなる。
【００２９】
また、図１に示したように、運搬用外袋２Ａの側面所定位置には、主として透明シート材からなり上から差し込んだ伝票等の書類の記載内容を外部から目視可能とする伝票用ポケット２０ｆが設けられており、この伝票用ポケット２０ｆに収納物のリストを記載した伝票を入れておくことで、処分の際に内容物が容易に確認されるため、利便性に優れたものとなる。
【００３０】
さらに、この運搬用外袋２Ａの側面に、収納物を外部から直接的に目視で確認するための透明シート材からなる確認用窓２０ｂを設けたものとすれば、前述のように脱気用中袋３に透明素材を使用しているため、中身を取り出す手間を要することなく収納した内容物の確認が行えるようになる。
【００３１】
加えて、この運搬用外袋２Ａの側面には、運搬時に手で掴んで把持するための持ち手２０ｃ，２０ｃ，２０ｄ，２０ｄが設けられており、取扱い者が把持して扱いやすいようになっている。尚、持ち手２０ｃ，２０ｃは、図４の底面図に示すように、１本の帯状部材２４０を角丸長方形の環状にして運搬用外袋２Ａの所定の側面から底面を経て対向側の側面まで帯状に並列した状態で設けられており、重量がかかりやく破損しやすい底面の耐久性を格段に向上させたものとなっている。
【００３２】
斯かる構成の本実施の形態によれば、遺品を納めた状態で１箇所に集めて供養することで遺族の心情を損なうことなくスムースに処分を進めやすいものとなる。また、全体としてコンパクトな状態に収まって保管・搬送しやすいことに加え、底板７があることで運搬時・保管時に型崩れしにくくなるため、保管・搬送が行いやすくなって、その手間とコストを低く抑えることが可能なものとなり、且つ、繊維系遺品と非繊維系遺品が分離して収納されるとともに収納物が容易に確認できるため、処分コストも低廉に抑えやすいものとなる。
【００３３】
図５は、上述した供養品収納袋１Ａの変形例としての供養品収納袋１Ｂを示しており、繊維系遺品を収納した脱気用中袋３を運搬用外袋２Ｂに収装した後で、非繊維系遺品を収納する際の状態を斜視図で示している。この供養品収納袋１Ｂは、前述の供養品収納袋１Ａと基本構成は殆ど共通しているが、運搬用外袋２Ｂの上面にファスナー２２０ａで開閉可能な出し入れ口２２０と、出し入れ口２２０により内部が外部と連通しながら脱気用中袋３を収装する収納室２０とは区画された小収納室４４とを備えている点を特徴としている。
【００３４】
この小収納室４４は、運搬用外袋２Ｂの上面を構成する蓋部２２の中央部において、長手方向に所定長さの切り込みを入れてなる出し入れ口２２０の範囲を少なくとも含むように、蓋部２２の裏面に仕切布４３の端縁側を縫いつけてなるものであり、出し入れ口２２０を介して故人の愛用した靴５０ａ，帽子５０ｂ，メガネ５０ｃなどの非繊維系遺品を出し入れできるようになっている。
【００３５】
そのため、３つの側面に亘るファスナー２０ａを用いて運搬用外袋２Ａの蓋部２１を開閉し非繊維系遺品の出し入れを行う第１の実施の形態と比べ、手間が大きく省略されるものとなり、また、収納室４４内の空間が脱気用中袋３を収装する空間とは完全に区画されているため、収納する非繊維系遺品を包装手段４１で包む手間を要しないものとなっている。
【００３６】
図６は、上述した供養品収納袋１Ａの応用例としての供養品収納袋１Ｃを分解斜視図で示している。この例では、供養品収納袋１Ａで脱気用中袋３の底面側に底板７を配設する代わりに、その側面側で持ち手２０ｄ，２０ｄが上になった向きで収納室２０の底面に相当する部分に底板８が配設されている点を特徴としている。
【００３７】
これにより、供養品収納袋１Ｃに遺品を収納した状態で、図７（Ａ）の蓋部２４が上になる保管状態から、図７（Ｂ）に示す持ち手２０ｄ，２０ｄが上になった他の保管状体又は搬送状態において、収納室２５の底面になる部分で底板８が形状保持能を発揮するものとなり、保管又は搬送を行いやすい状態を確保することができる。
【００３８】
尚、前述した底板８の代わりに、図８に示すように、保管時に底面となる部分とそれに直角な面で運搬時に底面となる２つの面に各々板材７０，８０が位置するものとして、その１つの辺同士が接続されて互いに開閉可能とされている底板９を用いても良く、これにより、保管時と運搬時に底面となる面が変わるような場合でも、その両方の状態で型崩れを防止しやすくなることに加え、２枚の板材が接続されていることでその部分が変形しにくくなって、極めて形状保持能に優れたものとなる。
【００３９】
また、上述した実施の形態の供養品収納袋１Ａ，１Ｂ，１Ｃは、例えば葬儀業者に依頼することにより遺族に届けられ、遺族が処分を希望する遺品を収納した後で所定の業者により搬送されて、他の供養品収納袋と１箇所に纏められて僧侶により供養され、その後、処理施設に搬送されて処理されるようにすればよい。
【００４０】
以上、述べたように、本考案により、不要となった遺品を遺族の心情を損なうことなく低コスト且つスムースに処分できるものとなった。
【符号の説明】
【００４１】
１Ａ，１Ｂ，１Ｃ  供養品収納袋、２Ａ，２Ｂ，２Ｃ  運搬用外袋、３  脱気用中袋、２０，２４，２５  収納室，２０ａ，２２０ａ  ファスナー、２０ｂ  確認用窓、２０ｃ，２０ｄ，２０ｅ  持ち手、２０ｆ  伝票用ポケット、２１，２２  蓋部、３０  収納部、４１  包装手段、４４  小収納室、５０ａ  靴、５０ｂ  帽子、５０ｃ  メガネ、５０ｅ  書籍、２２０  出し入れ口、２４０  帯状部材、３００ａ  布団、３００ｂ  衣類
【図１】
0003223243.tif 000003
【図２】
0003223243.tif 000004
【図３】
0003223243.tif 000005
【図４】
0003223243.tif 000006
【図５】
0003223243.tif 000007
【図６】
0003223243.tif 000008
【図７】
0003223243.tif 000009
【図８】
0003223243.tif 000010